(57)【要約】【目的】  観賞用水中葉緑植物を育成してその美観を増大させることにより長時間観賞することを可能にする。【構成】  観賞用葉緑植物と、該葉緑植物を水中に沈める水槽と、該水槽内に炭酸ガスを供給する炭酸ガス供給装置と、前記炭酸ガスの供給量を調整する供給量調整装置と、前記水槽内に所定の明るさの光を照射する照明灯と、前記炭酸ガスの供給時間および前記光照射時間ならびに前記空気供給時間を制御するタイマーとを具備する観賞用水中葉緑植物育成装置である。【選択図】    図１
2007300865.tif 000002
【特許請求の範囲】
【請求項１】
観賞用葉緑植物を水中に沈めた水槽と、該水槽内に炭酸ガス（ＣＯ２）ボンベから炭酸ガスを供給する炭酸ガス供給装置と、前記炭酸ガスの供給量を水中の葉緑植物の量に応じて調整する供給量調整装置と、前記水槽内に所定の明るさの光を照射する照明灯と、前記水槽内に空気を供給するエアーポンプと、前記炭酸ガスの供給時間および前記光照射時間ならびに前記空気供給時間を制御するタイマーとを具備することを特徴とする観賞用水中葉緑植物育成装置。
【発明の詳細な説明】
【技術分野】
【０００１】
本発明は、観賞用水中葉緑植物育成装置に適用して有効な技術に関するものである。
【背景技術】
【０００２】
従来、熱帯魚の観賞用水槽内に空気を供給して酸素を水中の熱帯魚に与える手段は、広く知られている。
【発明の開示】
【発明が解決しようとする課題】
【０００３】
本願発明者は、前記従来技術を検討した結果、以下の問題点を見いだした。
前記従来の熱帯魚の観賞用水槽内に空気を供給して酸素を水中の熱帯魚に与える手段は、単に空気を供給して酸素を水中の熱帯魚に与えるだけであって、水中の葉緑植物の育成を活性化して水中葉緑植物の美観を増大させることができず、長時間観賞することができないという問題があった。
【０００４】
本発明の目的は、葉緑植物を水槽の水中に沈め、該水槽内に炭酸ガス（ＣＯ２）ボンベから炭酸ガスを供給し、前記炭酸ガスの供給量を水中の葉緑植物の量に応じて調整するともに、前記水槽内に所定の明るさ（例えば、光合成に必要な明るさ）の光を照射し、前記炭酸ガスの供給時間および前記光照射時間ならびに前記空気供給時間を制御し、光合成により観賞用水中葉緑植物の育成を活性化して水中葉緑植物の美観を増大させるとともに、長時間観賞することが可能な技術を提供することにある。
【０００５】
本発明の前記ならびにその他の目的と新規な特徴は、本明細書の記述及び添付図面によって明らかになるであろう。
【課題を解決するための手段】
【０００６】
本願において開示される発明のうち、代表的なものの概要を簡単に説明すれば、以下のとおりである。
観賞用葉緑植物と、該葉緑植物を水中に沈める水槽と、該水槽内に炭酸ガス（ＣＯ２）ボンベから炭酸ガスを供給する炭酸ガス供給装置と、前記炭酸ガスの供給量を水中の葉緑植物の量に応じて調整する供給量調整装置と、前記水槽内に所定の明るさの光を照射する照明灯と、前記水槽内に空気を供給するエアーポンプと、前記炭酸ガスの供給時間および前記光照射時間ならびに前記空気供給時間を制御するタイマーとを具備することを特徴とする観賞用水中葉緑植物育成装置である。
【発明の効果】
【０００７】
本願において開示される発明のうち代表的なものによって得られる効果を簡単に説明すれば、以下のとおりである。
本願発明によれば、葉緑植物を水槽の水中に沈め、該水槽内に炭酸ガス（ＣＯ２）ボンベから炭酸ガスを供給し、炭酸ガス（ＣＯ２）コントローラーで前記炭酸ガスの供給量を調整するともに、前記水槽内に所定の明るさ（例えば、光合成に必要な明るさ）の光を照射し、前記炭酸ガスの供給時間および前記光照射時間ならびに前記空気供給時間を制御し、光合成により観賞用水中葉緑植物の育成を活性化させるので、水中葉緑植物の美観を増大させるとともに、長時間観賞することが可能となる。
【０００８】
また、前記水槽内に金魚や熱帯魚を入れて飼育する場合には、光合成により発生した酸素を水中の金魚や熱帯魚に空気とともに与えることができるので、水中葉緑植物の美観を増大させるとともに、金魚や熱帯魚を長時間観賞することが可能となる。
【発明を実施するための最良の形態】
【０００９】
以下、本発明について、図面を参照して実施例とともに詳細に説明する。
【実施例】
【００１０】
図１は本願発明の一実施例の概略構成を示すブロック構成図である。
図１において、１は炭酸ガス（ＣＯ２）ボンベであり、その炭酸ガス（ＣＯ２）の圧力は０．５ＭＰａ（約５Ｋｇｆ）以下で使用する。２は水槽内に炭酸ガスを供給する炭酸ガス供給装置であり、例えば電磁弁を用いる。３は前記炭酸ガスの供給量を水中の葉緑植物の量に応じて調整する供給量調整装置であり、例えば、流量調整治具の径の大きさを変えて炭酸ガス（ＣＯ２）、空気等の気体の供給量を制御するものである。４は水槽、５は前記炭酸ガスの供給時間および前記光照射時間ならびに前記空気供給時間を制御するタイマー、６は前記水槽内に光を照射する照明灯であり、その明るさ（例えば、光合成に必要な明るさ）のものを用いる。７は観賞用の葉緑植物、８はエアーポンプ、１０は観賞用水中葉緑植物育成装置である。
前記水槽４の内には、通常生活に使用する水（例えば、水道水、地下水等）や海水を入れる。
【００１１】
前記本実施例の観賞用水中葉緑植物育成装置は、図１に示すように、水中葉緑植物７が沈められた水槽４と、前記水槽４内に炭酸ガス（ＣＯ２）ボンベ１から炭酸ガスを供給する炭酸ガス供給装置２と、前記炭酸ガスの供給量を調整する供給量調整装置３と、前記水槽４内に所定の明るさ（例えば、光合成に必要な明るさ）の光を照射する照明灯６と、前記炭酸ガスの供給時間および前記光照射時間ならびに前記空気供給時間を制御するタイマー５と、前記空気を供給するエアーポンプ８とで構成されている。
【００１２】
前記炭酸ガス供給装置２、前記炭酸ガスの供給量を調整する供給量調整装置３、前記水槽４、前記炭酸ガスの供給時間および前記光照射時間ならびに前記空気供給時間を制御するタイマー５、前記水槽内に光を照射する照明灯６、観賞用の葉緑植物７、空気を供給するエアーポンプ８はそれぞれ市販のものを用いる。
【００１３】
前記本実施例の観賞用水中葉緑植物育成装置は、葉緑植物７を水槽４の水中に沈め、炭酸ガス（ＣＯ２）ボンベ１から炭酸ガス供給装置２と炭酸ガスの供給量調整装置３を介して当該水槽４内に炭酸ガスを供給する。前記タイマー５により、前記炭酸ガスの供給量を調整する。前記水槽４の外側に配置されている照明灯６により前記水槽４内に、所定の明るさ（例えば、光合成に必要な明るさ）の光を照射する。前記タイマー５により前記光照射時間を制御し、光合成により観賞用水中葉緑植物の育成を活性化させる。水中葉緑植物の美観を増大させるとともに、長時間観賞することが可能になる。
【００１４】
また、前記水槽内に金魚や熱帯魚を入れて飼育する場合には、光合成により発生した酸素を水中の金魚や熱帯魚に空気とともに与えることができるので、水中葉緑植物の美観を増大させるとともに、金魚や熱帯魚を長時間観賞することが可能になる。
【００１５】
本実施例の炭酸ガスを供給する炭酸ガス供給装置２と、前記炭酸ガスの供給量を調整する供給量調整装置３と、前記水槽４内に光を照射する照明灯６用電源と、前記水槽４内に空気を供給するエアーポンプ７用電源と、前記炭酸ガスの供給時間および前記光照射時間ならびに前記空気供給時間を制御するタイマー５とで構成されている炭酸ガス（ＣＯ２）コントローラーは、２４時間タイマー（アナログ・デジタル）により毎日繰り返し電磁弁を開閉し、炭酸ガス（ＣＯ２）、空気等気体の流量の制御と、照明灯の燈減と、エアーポンプの入り切りをするようになっている。
供給量調整装置３を多数取り付けることにより、同時に多数の水槽へ炭酸ガス（ＣＯ２）、空気等の気体を送ることを制御する。
【図面の簡単な説明】
【００１６】
【図１】本願発明の一実施例の概略構成を示すブロック構成図である。
【符号の説明】
【００１７】
１    炭酸ガス（ＣＯ２）ボンベ
２    炭酸ガス供給装置
３    炭酸ガスの供給量調整装置
４    水槽
５    タイマー
６    水槽内に光を照射する照明灯
７    観賞用の葉緑植物
８    エアーポンプ
１０  観賞用水中葉緑植物育成装置
【図１】
2007300865.tif 000003